(57)【要約】      （修正有）【課題】検体の誤認を効果的に防止することが可能な生化学分析装置とその作動方法を提供する。【解決手段】生化学分析装置内にはサンプルトレイが収容されている。サンプルトレイには、生化学分析に供する検体が収容された検体容器が設置される複数の検体設置部が設けられている。表示制御部は、サンプルトレイにおける検体設置部の配列状態を模式的に表した配置図９１をタッチパネルに表示する。配置図９１には、検体設置部に対応する第１表示区画１００Ａ〜１００Ｅが設けられている。表示制御部は、検体識別情報である検体ＩＤ（ＳＩＤ）を第１表示区画１００Ａ〜１００Ｅに表示する。【選択図】図１０
2019178867.tif 000002
【特許請求の範囲】
【請求項１】
生化学分析に供する検体が収容された検体容器が設置される複数の検体設置部が設けられたサンプルトレイと、
前記検体を識別する検体識別情報を取得する取得部と、
前記サンプルトレイにおける複数の前記検体設置部の配列状態を模式的に表し、複数の前記検体設置部の各々に対応する表示区画が設けられた配置図を表示部に表示する制御を行う表示制御部であり、前記取得部で取得した前記検体識別情報を前記表示区画に表示する表示制御部とを備える生化学分析装置。
【請求項２】
前記表示区画は操作ボタンとして機能し、
前記表示制御部は、前記表示区画が操作された場合に、前記配置図が表示されたメイン画面に替えて、操作された前記表示区画に対応する前記検体設置部に設置された前記検体の前記検体識別情報を含む前記生化学分析のオーダに係るサブ画面を表示する請求項１に記載の生化学分析装置。
【請求項３】
前記サブ画面は、前記オーダの入力画面、または前記入力画面で入力された前記オーダの表示画面である請求項２に記載の生化学分析装置。
【請求項４】
前記サンプルトレイにおいて、前記検体設置部には、各々の前記検体設置部を識別する設置部識別情報が付されており、
前記表示制御部は、前記表示区画に前記設置部識別情報を表示する請求項１ないし３のいずれか１項に記載の生化学分析装置。
【請求項５】
前記表示制御部は、前記配置図が表示されたメイン画面に、前記生化学分析の結果を表示する結果表示画面の呼出ボタンを表示し、前記呼出ボタンが操作された場合に、前記メイン画面に替えて、前記結果表示画面を表示する請求項１ないし４のいずれか１項に記載の生化学分析装置。
【請求項６】
前記表示制御部は、各々の前記検体設置部を識別する設置部識別情報、前記生化学分析の開始時間、および前記生化学分析の残り時間を前記呼出ボタンに表示する請求項５に記載の生化学分析装置。
【請求項７】
前記生化学分析では、複数の測定項目について順次数値を測定し、
前記表示制御部は、前記結果表示画面において、前記数値が異常な前記測定項目を、前記数値が正常な前記測定項目と区別して表示する請求項５または６に記載の生化学分析装置。
【請求項８】
前記生化学分析では、複数の測定項目について順次数値を測定し、
前記表示制御部は、前記測定の途中で前記呼出ボタンが操作された場合、前記呼出ボタンが操作された時点で前記測定が終了している前記測定項目の前記数値を、前記結果表示画面に表示する請求項５ないし７のいずれか１項に記載の生化学分析装置。
【請求項９】
前記表示制御部は、前記測定の途中で前記呼出ボタンが操作された場合、前記生化学分析の残り時間を前記結果表示画面に表示する請求項８に記載の生化学分析装置。
【請求項１０】
前記生化学分析では、複数の測定項目について順次数値を測定し、
前記表示制御部は、前記測定の終了後、前記結果表示画面において前記検体識別情報の変更を受け付ける請求項５ないし９のいずれか１項に記載の生化学分析装置。
【請求項１１】
前記サンプルトレイは円形で、かつ中心を軸に回転駆動され、
前記表示制御部は、前記サンプルトレイの回転位置に応じて前記配置図の表示姿勢を変更する請求項１ないし１０のいずれか１項に記載の生化学分析装置。
【請求項１２】
前記表示部は、前記サンプルトレイが収容された装置本体に取り付けられている請求項１ないし１１のいずれか１項に記載の生化学分析装置。
【請求項１３】
前記表示制御部は、前記検体容器の設置有無と前記生化学分析の進捗状況を示す表示を前記表示区画に行う請求項１ないし１２のいずれか１項に記載の生化学分析装置。
【請求項１４】
生化学分析に供する検体が収容された検体容器が設置される複数の検体設置部が設けられたサンプルトレイを備える生化学分析装置の作動方法において、
前記検体を識別する検体識別情報を取得する取得ステップと、
前記サンプルトレイにおける複数の前記検体設置部の配列状態を模式的に表し、複数の前記検体設置部の各々に対応する表示区画が設けられた配置図を表示部に表示する制御を行う表示制御ステップであり、前記取得ステップで取得した前記検体識別情報を前記表示区画に表示する表示制御ステップとを備える生化学分析装置の作動方法。
【発明の詳細な説明】
【技術分野】
【０００１】
本発明は、生化学分析装置とその作動方法に関する。
【背景技術】
【０００２】
血液や尿等の検体を分析する生化学分析装置が知られている（例えば特許文献１参照）。検体は検体容器に収容され、検体容器は生化学分析装置内のサンプルトレイに設けられた検体設置部に設置される。サンプルトレイには、複数の検体の分析のオーダをまとめて行うために、複数の検体設置部が設けられている。
【０００３】
特許文献１に記載の生化学分析装置では、配置図とオーダ表とが表示部に表示される。配置図は、サンプルトレイにおける複数の検体設置部の配列状態を模式的に表し、複数の検体設置部の各々に対応する表示区画が設けられたものである。表示区画には、検体容器の設置有無と生化学分析の進捗状況を示す表示が行われる。オーダ表は、表示部において、配置図とは別に配置図の横に並べて表示される。オーダ表には、オーダ順に付けられたオーダ番号毎に、検体を識別する検体識別情報（特許文献１ではサンプルＩＤ（Identification Data）を例示）等が表示される。
【先行技術文献】
【特許文献】
【０００４】
【特許文献１】特開２０１３−１４００２２号公報
【発明の概要】
【発明が解決しようとする課題】
【０００５】
特許文献１に記載の生化学分析装置では、オーダと検体設置部を紐付ける情報が表示されていない。このため、配置図とオーダ表を見ただけでは、各検体設置部にどういった検体が設置されているかが分からなかった。したがって、検体の誤認が生じるおそれがあった。
【０００６】
本発明は、検体の誤認を効果的に防止することが可能な生化学分析装置とその作動方法を提供することを目的とする。
【課題を解決するための手段】
【０００７】
上記課題を解決するために、本発明の生化学分析装置は、生化学分析に供する検体が収容された検体容器が設置される複数の検体設置部が設けられたサンプルトレイと、検体を識別する検体識別情報を取得する取得部と、サンプルトレイにおける複数の検体設置部の配列状態を模式的に表し、複数の検体設置部の各々に対応する表示区画が設けられた配置図を表示部に表示する制御を行う表示制御部であり、取得部で取得した検体識別情報を表示区画に表示する表示制御部とを備える。
【０００８】
表示区画は操作ボタンとして機能し、表示制御部は、表示区画が操作された場合に、配置図が表示されたメイン画面に替えて、操作された表示区画に対応する検体設置部に設置された検体の検体識別情報を含む生化学分析のオーダに係るサブ画面を表示することが好ましい。サブ画面は、オーダの入力画面、または入力画面で入力されたオーダの表示画面であることが好ましい。
【０００９】
サンプルトレイにおいて、検体設置部には、各々の検体設置部を識別する設置部識別情報が付されており、表示制御部は、表示区画に設置部識別情報を表示することが好ましい。
【００１０】
表示制御部は、配置図が表示されたメイン画面に、生化学分析の結果を表示する結果表示画面の呼出ボタンを表示し、呼出ボタンが操作された場合に、メイン画面に替えて、結果表示画面を表示することが好ましい。表示制御部は、各々の検体設置部を識別する設置部識別情報、生化学分析の開始時間、および生化学分析の残り時間を呼出ボタンに表示することが好ましい。
【００１１】
生化学分析では、複数の測定項目について順次数値を測定し、表示制御部は、結果表示画面において、数値が異常な測定項目を、数値が正常な測定項目と区別して表示することが好ましい。
【００１２】
生化学分析では、複数の測定項目について順次数値を測定し、表示制御部は、測定の途中で呼出ボタンが操作された場合、呼出ボタンが操作された時点で測定が終了している測定項目の数値を、結果表示画面に表示することが好ましい。表示制御部は、測定の途中で呼出ボタンが操作された場合、生化学分析の残り時間を結果表示画面に表示することが好ましい。
【００１３】
生化学分析では、複数の測定項目について順次数値を測定し、表示制御部は、測定の終了後、結果表示画面において検体識別情報の変更を受け付けることが好ましい。
【００１４】
サンプルトレイは円形で、かつ中心を軸に回転駆動され、表示制御部は、サンプルトレイの回転位置に応じて配置図の表示姿勢を変更することが好ましい。
【００１５】
表示部は、サンプルトレイが収容された装置本体に取り付けられていることが好ましい。
【００１６】
表示制御部は、検体容器の設置有無と生化学分析の進捗状況を示す表示を表示区画に行うことが好ましい。
【００１７】
本発明の生化学分析装置の作動方法は、生化学分析に供する検体が収容された検体容器が設置される複数の検体設置部が設けられたサンプルトレイを備える生化学分析装置の作動方法において、検体を識別する検体識別情報を取得する取得ステップと、サンプルトレイにおける複数の検体設置部の配列状態を模式的に表し、複数の検体設置部の各々に対応する表示区画が設けられた配置図を表示部に表示する制御を行う表示制御ステップであり、取得ステップで取得した検体識別情報を表示区画に表示する表示制御ステップとを備える。
【発明の効果】
【００１８】
本発明によれば、サンプルトレイにおける複数の検体設置部の配列状態を模式的に表し、複数の検体設置部の各々に対応する表示区画が設けられた配置図において、検体を識別する検体識別情報を表示区画に表示するので、各検体設置部にどういった検体が設置されているかが一目で分かる。したがって、検体の誤認を効果的に防止することが可能な生化学分析装置とその作動方法を提供することができる。
【図面の簡単な説明】
【００１９】
【図１】生化学分析装置の外観を示す斜視図である。
【図２】蓋が開かれた状態の生化学分析装置を示す斜視図である。
【図３】点着部における検体の点着の様子を模式的に示す図である。
【図４】各乾式分析素子と対応する測定項目を示す表である。
【図５】生化学分析装置の内部を示す平面図である。
【図６】生化学分析装置のブロック図である。
【図７】メイン画面を示す図である。
【図８】配置図の拡大図である。
【図９】オーダ画面を示す図である。
【図１０】オーダの入力指示を受け付けた後のメイン画面を示す図である。
【図１１】分析の開始指示を受け付けた後のメイン画面を示す図である。
【図１２】点着が開始された場合のメイン画面を示す図である。
【図１３】測定が開始された場合のメイン画面を示す図である。
【図１４】測定中の場合の呼出ボタンの拡大図である。
【図１５】測定終了後の場合の呼出ボタンの拡大図である。
【図１６】結果表示切替領域の拡大図である。
【図１７】測定中に呼出ボタンが操作された場合の結果表示画面を示す図である。
【図１８】測定終了後に呼出ボタンが操作された場合の結果表示画面を示す図である。
【図１９】ブロックの拡大図である。
【図２０】生化学分析装置の処理手順を示すフローチャートである。
【図２１】サンプルトレイの回転位置に応じて配置図の表示姿勢を変更する第２実施形態を示す図である。
【発明を実施するための形態】
【００２０】
[第１実施形態]
図１および図２において、生化学分析装置１０は、例えば病院の検査科に設置され、診療科からのオーダに応じて、血液や尿等の検体を分析する。検体は検体容器１１に収容され、未使用の乾式分析素子２５（図３参照）を収容したカートリッジ１２とセットで、生化学分析装置１０内のサンプルトレイ１３に設置される。
【００２１】
生化学分析装置１０は、箱状の装置本体１０Ａを有する。装置本体１０Ａの前面上部は傾斜面部となっており、その傾斜面部には、跳ね上げ式の蓋１４が取り付けられている。蓋１４は、図１に示す閉じ位置と、図２に示す開き位置との間で開閉可能である。蓋１４は、片側の略半分は開口部１４Ａ、残りはカバー部１４Ｂで構成されている。
【００２２】
装置本体１０Ａの前面上部には、表示部に相当するタッチパネル１５が取り付けられている。タッチパネル１５は、蓋１４が閉じ位置にある図１に示す状態において、蓋１４の開口部１４Ａと対応する位置にある。このため、蓋１４が閉じ位置にある場合も、開口部１４Ａを介してタッチパネル１５の表示を視認することができ、かつタッチパネル１５を操作することができる。
【００２３】
タッチパネル１５には、医療スタッフ等のユーザからの操作指示が入力され、かつ生化学分析に関する情報が表示される。操作指示には、検体を識別する検体識別情報である検体ＩＤを含む生化学分析のオーダの入力指示、分析の開始指示、分析結果の表示指示等がある。生化学分析に関する情報には、オーダ、分析の進捗状況、分析結果等がある。
【００２４】
蓋１４のカバー部１４Ｂに対応する装置本体１０Ａの前面上部には、サンプルトレイ１３に通じる開口部１６が設けられている。蓋１４が図１に示す閉じ位置にある場合、開口部１６は蓋１４のカバー部１４Ｂで完全に覆われる。蓋１４が図２に示す開き位置にある場合、開口部１６は開放され、これにより開口部１６を介してサンプルトレイ１３へのユーザのアクセスが可能となり、検体容器１１およびカートリッジ１２の設置、および消耗品の補充が可能となる。なお、装置本体１０Ａの前面下部の符号１７は、使用済みの乾式分析素子２５等が廃却可能に集積される廃却ボックスである。
【００２５】
装置本体１０Ａ内には、サンプルトレイ１３の他に、点着機構１８、点着部１９、第１測定部２０、第２測定部２１（図５参照）等が収容されている。点着機構１８はディスペンサー２２を有し、このディスペンサー２２を用いて、点着部１９において乾式分析素子２５に検体を点着する。第１測定部２０および第２測定部２１は、検体が点着された乾式分析素子２５を受け入れ、検体の含有成分に応じた測定項目について数値（含有成分の量）を測定する。
【００２６】
図３は、点着部１９における検体の点着の様子を模式的に示す。カートリッジ１２は、スライド状の乾式分析素子２５を複数枚収容する。乾式分析素子２５の中央には、検体が点着される丸凹状の点着孔２５Ａが形成されている。
【００２７】
乾式分析素子２５は、図示しない供給機構によってカートリッジ１２から順次点着部１９に供給される。一方、検体は、先端にノズルチップ２６が取り付けられたディスペンサー２２によって検体容器１１から吸引される。そして、点着部１９において、検体はディスペンサー２２から点着孔２５Ａに向けて吐出される。この乾式分析素子２５の点着部１９への供給、検体容器１１からの検体の吸引、および点着孔２５Ａへの検体の吐出を、乾式分析素子２５の枚数分繰り返す。これにより複数枚の乾式分析素子２５に順次検体が点着される。
【００２８】
図４の表３０に示すように、複数枚の乾式分析素子２５は、検体の複数の含有成分に応じた複数の測定項目毎に用意されている。言い換えれば、１枚の乾式分析素子２５は、１つの測定項目の数値を測定するために用意されている。このため、第１測定部２０および第２測定部２１では、検体が点着された複数枚の乾式分析素子２５に対応する複数の測定項目について順次数値が測定される。
【００２９】
測定項目には、生化学分析の方法（比色測定法、電位差測定法）、および目的（一般化学検査、酵素検査等）に応じた複数の種類がある。測定項目の具体例としては、グルコース（血糖）、総コレステロール、クレアチニン、アルブミン、乳酸脱水素酵素、ナトリウム、カリウム、リパーゼ等が挙げられる。ユーザは、生化学分析の方法および目的に応じて、使用する乾式分析素子２５を選択する。なお、図３に示す乾式分析素子２５は、比色測定法に用いられる比色タイプを例示している。電位差測定法に用いられる電解質タイプの乾式分析素子２５の場合は、検体の点着孔２５Ａに加えて、後述する参照液の点着孔が形成されている。
【００３０】
各乾式分析素子２５には、対応する測定項目を示す項目コードがバーコード等の形態で添付されている。点着部１９には、項目コードを読み取るＣＣＤ（Charge Coupled Device）等の読取機（図示せず）が設けられている。生化学分析装置１０は、この読取機で読み取った項目コードで、各乾式分析素子２５の測定項目を認識する。
【００３１】
図５において、サンプルトレイ１３は円形で、外周部の回転ディスク３５と中央部の非回転部３６とで構成される。回転ディスク３５は円環状で、中央部が開口しており、この開口に非回転部３６が配置されている。回転ディスク３５は、中心を軸に回転駆動される。非回転部３６は円盤状で、文字通り回転せずにサンプルトレイ１３の中央部に固定されている。
【００３２】
回転ディスク３５には、二点鎖線の区画で示すように、複数の検体の分析のオーダをまとめて行うために、５つの検体設置部３７Ａ、３７Ｂ、３７Ｃ、３７Ｄ、３７Ｅが設けられている。検体設置部３７Ａ〜３７Ｅには、検体容器１１が設置される検体容器設置孔３８と、カートリッジ１２が設置されるカートリッジ設置孔３９とが形成されている。検体設置部３７Ａ〜３７Ｅには、符号ＩＮＩＤおよび一点鎖線で示すように、各々を識別する設置部識別情報としてのアルファベット「Ａ」、「Ｂ」、「Ｃ」、「Ｄ」、「Ｅ」が付されている。なお、以下では、特に区別する必要がない場合は、検体設置部３７Ａ〜３７Ｅをまとめて検体設置部３７と表記することがある。
【００３３】
図５では、アルファベット「Ａ」が付された検体設置部３７Ａの検体容器設置孔３８およびカートリッジ設置孔３９に、検体容器１１およびカートリッジ１２がそれぞれ設置された状態を示している。このように、１つの検体設置部３７には、１つの検体容器１１が１つのカートリッジ１２とセットで設置される。このため、検体設置部３７と検体、ひいては検体設置部３７と検体を採取した患者または患畜とは、一対一で対応する。
【００３４】
回転ディスク３５には、検体設置部３７の他に、生化学分析に用いる消耗品が設置される消耗品設置部として、２つのノズルチップ設置部４５、３つの希釈液設置部４６、および２つの混合カップ設置部４７が設けられている。ノズルチップ設置部４５には、ノズルチップ２６を多数（本例では２５個）並べて収容したチップラック４８が設置される。希釈液設置部４６には、検体を希釈するための希釈液を収容した希釈液容器４９が設置される。混合カップ設置部４７には、検体と希釈液を混合するための混合カップ５０が複数（本例では１０個）設置される。
【００３５】
検体設置部３７、ノズルチップ設置部４５、希釈液設置部４６、および混合カップ設置部４７は、回転ディスク３５上に円弧状に配置されている。また、検体設置部３７は、回転ディスク３５の略半分の第１領域５５にまとめて配置され、ノズルチップ設置部４５、希釈液設置部４６、および混合カップ設置部４７は、第１領域５５を除く残りの領域である第２領域５６にまとめて配置されている。つまり、検体設置部３７と消耗品設置部とは、配置される領域が明確に分けられている。
【００３６】
非回転部３６には、消耗品設置部として、参照液を収容した参照液容器５７が設置される参照液設置部５８が設けられている。
【００３７】
ノズルチップ２６は、ノズルチップ設置部４５から取り外されて前述のようにディスペンサー２２の先端に装着され、検体の点着等に用いられる。希釈液は、検体が所定以上の濃度で、そのままでは分析が行えない場合に用いられる。希釈液を用いる場合は、まず、点着機構１８で検体容器１１から検体を吸引して混合カップ５０に分注する。次いで、希釈液容器４９から希釈液を吸引して混合カップ５０に吐出し、検体と希釈液とを混合する。そして、希釈液で希釈された検体を乾式分析素子２５の点着孔２５Ａに点着する。参照液は電位差測定法の場合に用いられる。参照液は、点着機構１８で参照液容器５７から吸引され、点着部１９において検体とともに乾式分析素子２５に点着される。
【００３８】
点着部１９には、点着用開口６０が形成された素子押え６１が設けられている。この素子押え６１には、点着部１９と対面する検体設置部３７のカートリッジ設置孔３９に設置されたカートリッジ１２から、一点鎖線の矢印で示した供給経路Ｒに沿って、順次乾式分析素子２５が供給される。素子押え６１に供給された乾式分析素子２５には、点着用開口６０を介して検体が点着される。なお、図示は省略したが、点着部１９と第１測定部２０の間には、廃却ボックス１７に通じ、使用済みのノズルチップ２６が落下廃却されるノズルチップ廃却口が設けられている。
【００３９】
第１測定部２０および第２測定部２１は、ヒータ等の加熱手段（図示せず）を有し、加熱手段で加熱して温度を一定に保持する恒温器（インキュベータ）である。第１測定部２０は、比色タイプの乾式分析素子２５を受け入れて、比色測定法による測定を行う。第２測定部２１は、電解質タイプの乾式分析素子２５を受け入れて、電位差測定法による測定を行う。比色タイプの乾式分析素子２５は、第１測定部２０で所定時間恒温保持されることで、点着孔２５Ａに点着された検体に呈色反応（色素生成反応）が生じる。
【００４０】
第１測定部２０は、外周部に円環状の回転部材６５を備える。この回転部材６５の内周部には、逆円錐状の傾斜回転筒６６が固着されている。傾斜回転筒６６の下部にはベアリング６７が取り付けられており、回転部材６５はこのベアリング６７に支持されて回転自在である。回転部材６５には、複数枚の乾式分析素子２５を収納する複数の素子収納室６８が円弧状に配置されている。素子収納室６８の中央には円形の測光窓６８Ａが形成されている。
【００４１】
回転部材６５の下部の一角には、測光ヘッド６９が配設されている。測光ヘッド６９は、測光窓６８Ａを通じて、素子収納室６８に収納された乾式分析素子２５の検体の反射光学濃度を測定する。より詳しくは、測光ヘッド６９は、回転部材６５の回転によって対面位置に移動された測光窓６８Ａを介して、呈色反応が生じた点着孔２５Ａの検体に測定光を照射し、その反射光を測定する。測定後、乾式分析素子２５は、図示しない廃却機構で素子収納室６８から押し出されて、廃却ボックス１７に通じる傾斜回転筒６６の内孔６６Ａに落下廃却される。
【００４２】
第２測定部２１は電位測定用プローブ（図示せず）を有する。電位測定用プローブは、電解質タイプの乾式分析素子２５と接触して、電解質タイプの乾式分析素子２５に点着された検体中に含まれるナトリウム等の特定イオンのイオン活量を測定する。この場合も比色タイプの場合と同様に、測定後、乾式分析素子２５は、第２測定部２１から廃却ボックス１７に通じる素子廃却口（図示せず）に移送されて廃却される。
【００４３】
図６において、主制御部７５は、生化学分析装置１０の全体を統括的に制御する。主制御部７５には、第１測定制御部７６、第２測定制御部７７、駆動制御部７８、表示制御部７９、指示受付部８０、および設置センサ８１が接続されている。
【００４４】
第１測定制御部７６は、第１測定部２０の加熱手段の駆動および回転部材６５の回転を制御し、かつ測光ヘッド６９の駆動を制御して、検体の反射光学濃度を測定させる。第２測定制御部７７は、第２測定部２１の加熱手段の駆動を制御し、かつ電位測定用プローブの駆動を制御して、検体のイオン活量を測定させる。
【００４５】
第１測定部２０は、測光ヘッド６９で測定した反射光学濃度に応じた、検体の含有成分の量を示す数値を主制御部７５に出力する。同様に、第２測定部２１は、電位測定用プローブで測定したイオン活量に応じた、検体の含有成分の量を示す数値を主制御部７５に出力する。主制御部７５は、数値を表示制御部７９に出力する。
【００４６】
駆動制御部７８は、サンプルトレイ１３の駆動を制御する。実際には、駆動制御部７８は、サンプルトレイ１３の回転ディスク３５を、中心を軸に回転駆動させるモータ（図示せず）のドライバである。
【００４７】
主制御部７５は、検体設置部３７Ａ〜３７Ｅに設置された検体毎に生化学分析の開始時間ＴＳ（図１４参照）を記憶し、かつ検体設置部３７Ａ〜３７Ｅに設置された検体毎に生化学分析の開始からの経過時間ＴＰを計時する。主制御部７５は、生化学分析の所要時間ＴＮから経過時間ＴＰを減算して、生化学分析の残り時間ＴＲ（図１４参照）を算出する。所要時間ＴＮは生化学分析の方法および目的に応じて変化する時間であり、既知である。主制御部７５は、開始時間ＴＳおよび残り時間ＴＲを表示制御部７９に出力する。
【００４８】
また、主制御部７５は、経過時間ＴＰが所要時間ＴＮとなって、第１測定部２０または第２測定部２１で測定が終了した場合に、当該検体設置部３７に設置された検体の生化学分析の終了を検知する。主制御部７５が生化学分析の終了を検知した場合、当該検体設置部３７から検体容器１１とカートリッジ１２を取り出し、新たな検体容器１１とカートリッジ１２を設置することが可能となる。
【００４９】
表示制御部７９は、タッチパネル１５への各種画面の表示を制御する。指示受付部８０は、タッチパネル１５を介してユーザから入力される操作指示を受け付ける。操作指示には、前述のように検体識別情報である検体ＩＤを含む生化学分析のオーダの入力指示がある。したがって、指示受付部８０は、検体識別情報を取得する取得部に相当する。
【００５０】
設置センサ８１は、例えば投光器と受光器からなる反射型の光センサであり、検体設置部３７の検体容器設置孔３８への検体容器１１の設置有無、およびカートリッジ設置孔３９へのカートリッジ１２の設置有無を検出する。また、設置センサ８１は、ノズルチップ設置部４５、希釈液設置部４６、混合カップ設置部４７、参照液設置部５８といった消耗品設置部にも設けられており、これら消耗品設置部への各消耗品の設置有無も検出する。主制御部７５は、設置センサ８１の検出結果を表示制御部７９に出力する。
【００５１】
主制御部７５には、これらの他にも、点着機構１８の駆動制御部、カートリッジ１２から点着部１９に乾式分析素子２５を供給する供給機構の駆動制御部、あるいは、検体である全血から血漿成分を抽出する血漿濾過部（図示せず）または遠心分離部（図示せず）の駆動制御部等が接続されている。
【００５２】
図７は、表示制御部７９がタッチパネル１５に表示するメイン画面９０を示す。メイン画面９０の略中央には配置図９１が表示される。メイン画面９０の上部にはメッセージ表示領域９２が、下部には結果表示切替領域９３がそれぞれ配されている。メッセージ表示領域９２には、生化学分析の進捗状況を示すメッセージ９４や現在日時が表示される。結果表示切替領域９３には、呼出ボタン表示領域９５とサマリー表示ボタン９６とが設けられている。また、配置図９１と結果表示切替領域９３との間には、ボタン表示領域９７Ａ、９７Ｂが設けられている。
【００５３】
図８に拡大して示すように、配置図９１は、サンプルトレイ１３の回転ディスク３５における検体設置部３７および消耗品設置部（ノズルチップ設置部４５、希釈液設置部４６、混合カップ設置部４７、参照液設置部５８）の配列状態を模式的に表している。具体的には、配置図９１には、検体設置部３７Ａ〜３７Ｅに対応する第１表示区画１００Ａ、１００Ｂ、１００Ｃ、１００Ｄ、１００Ｅ、および消耗品設置部に対応する第２表示区画１０１、１０２、１０３、１０４が設けられている。第１表示区画１００Ａ〜１００Ｅには、検体設置部３７Ａ〜３７Ｅと同じく、設置部識別情報ＩＮＩＤが付されている。
【００５４】
図８では、各表示区画と各設置部との対応関係を明らかにするため、各表示区画の符号に、対応する設置部の符号を括弧書きで付している。なお、以下では、検体設置部３７と同じく、第１表示区画１００Ａ〜１００Ｅをまとめて第１表示区画１００と表記することがある。
【００５５】
第１表示区画１００は、ユーザが指で操作可能な操作ボタンとして機能する。第１表示区画１００が操作された場合、表示制御部７９は、メイン画面９０に替えて、操作された第１表示区画１００に対応する検体設置部３７に設置された検体の生化学分析のオーダに係るサブ画面をタッチパネル１５に表示する。
【００５６】
具体的には、表示制御部７９は、サブ画面として、図９に示すオーダ画面１１０をメイン画面９０上に重畳表示する。オーダ画面１１０は、メイン画面９０を略覆い隠す大きさである。オーダ画面１１０は、設置部識別情報表示領域１１１と、オーダ入力表示領域１１２と、ボタン表示領域１１３とを有する。
【００５７】
設置部識別情報表示領域１１１には、操作された第１表示区画１００に対応する検体設置部３７の設置部識別情報ＩＮＩＤが表示される。図９では、第１表示区画１００Ａ（「Ａ」の第１表示区画）が操作され、設置部識別情報表示領域１１１に設置部識別情報ＩＮＩＤとしてアルファベット「Ａ」が表示されている例を示している。
【００５８】
オーダ入力表示領域１１２には、オーダの各項目、具体的にはオーダ番号、検体ＩＤ、基準、検体種、および希釈を入力および表示する入力表示ボックス１１４Ａ、１１４Ｂ、１１４Ｃ、１１４Ｄ、１１４Ｅが設けられている。オーダ番号には、例えば年月日とオーダの入力順を組み合わせた数字が自動的に付される。検体ＩＤは、例えば検体を採取した患者または患畜の氏名のローマ字表記である。検体ＩＤは、ユーザが入力表示ボックス１１４Ｂを操作して、これによりタッチパネル１５に出現する画面キーボード（図示せず）を操作することで入力される。
【００５９】
基準の入力表示ボックス１１４Ｃ、検体種の入力表示ボックス１１４Ｄ、希釈の入力表示ボックス１１４Ｅは、ユーザの操作により複数の選択肢を表示する。基準の選択肢には、図示のヒトの他にイヌ、ネコ等がある。検体種の選択肢には、図示の全血の他に血漿／血清、尿がある。希釈の選択肢には、図示のなしの他に１〜１０の希釈のレベルを示す数値がある。ユーザは各入力表示ボックス１１４Ｃ〜１１４Ｅを操作して、所望の選択肢を選択する。
【００６０】
ボタン表示領域１１３には、キャンセルボタン１１５とＯＫボタン１１６が設けられている。キャンセルボタン１１５が操作された場合はオーダがキャンセルされる。ＯＫボタン１１６が操作された場合、指示受付部８０は、そのとき入力表示ボックス１１４Ａ〜１１４Ｅに入力された内容で、オーダの入力指示を受け付ける。
【００６１】
第１表示区画１００は、指示受付部８０でオーダの入力指示を受け付けた後も操作可能である。指示受付部８０でオーダの入力指示を受け付けた後に第１表示区画１００が操作された場合、表示制御部７９は、指示受付部８０で受け付けたオーダの内容を入力表示ボックス１１４Ａ〜１１４Ｅに再現したオーダ画面１１０を表示する。すなわちオーダ画面１１０は、指示受付部８０でオーダの入力指示を受け付ける前はオーダの入力画面であり、指示受付部８０でオーダの入力指示を受け付けた後はオーダの表示画面となる。そして第１表示区画１００は、オーダの入力画面と表示画面の呼出ボタンとして機能する。
【００６２】
図１０に符号ＳＩＤおよび破線で示すように、指示受付部８０でオーダの入力指示が受け付けられた後、表示制御部７９は、指示受付部８０で取得した検体ＩＤを第１表示区画１００に表示する。表示制御部７９は、当該第１表示区画１００に対応する検体設置部３７の乾式分析素子２５への点着が終了するまで、この検体ＩＤの表示を継続する。
【００６３】
また、表示制御部７９は、指示受付部８０でオーダの入力指示を受け付けた第１表示区画１００を、ハッチングで示すように特定の色（例えば水色）で塗り潰し、オーダの入力指示を受け付けていない第１表示区画１００（例えば白色）と区別して表示する。図１０では、第１表示区画１００Ａ、１００Ｂ、１００Ｃのオーダの入力指示が受け付けられ、第１表示区画１００Ａには検体ＩＤとして「ＦＵＪＩ  ＴＡＲＯ」が、第１表示区画１００Ｂには「ＦＵＪＩ  ＺＩＲＯ」が、第１表示区画１００Ｃには「ＦＵＪＩ  ＳＡＢＵＲＯ」が、それぞれ表示された例を示している。
【００６４】
さらに、表示制御部７９は、ボタン表示領域９７Ａに「ＳＴＡＲＴ」の標識１２０を表示させ、ボタン表示領域９７Ａを、分析の開始を指示するスタートボタンとして機能させる。この表示状態でボタン表示領域９７Ａが操作された場合、指示受付部８０は、分析の開始指示を受け付ける。
【００６５】
指示受付部８０で分析の開始指示が受け付けられた場合、主制御部７５は、まず、設置センサ８１を駆動させ、指示受付部８０でオーダの入力指示を受け付けた第１表示区画１００に対応する検体設置部３７への検体容器１１およびカートリッジ１２の設置有無を検出させる。このとき、表示制御部７９は、図１０から図１１に示す表示状態にメイン画面９０を遷移させる。
【００６６】
図１１において、表示制御部７９は、メッセージ表示領域９２のメッセージ９４を、図１０の「測定できます」から「点着準備中」に変更する。また、設置センサ８１で検体容器１１およびカートリッジ１２の設置有無を検出していることを示すため、全ての第１表示区画１００を、ハッチングで示すように特定の色（例えば焦茶色）で塗り潰す。さらに、ボタン表示領域９７Ａの「ＳＴＡＲＴ」の標識１２０を消し、替わりにボタン表示領域９７Ｂに「ＳＴＯＰ」の標識１２１を表示させ、ボタン表示領域９７Ｂを、分析の中止を指示するストップボタンとして機能させる。
【００６７】
指示受付部８０でオーダの入力指示を受け付けた第１表示区画１００に対応する検体設置部３７への検体容器１１およびカートリッジ１２の設置が検出された場合、主制御部７５は、点着機構１８を駆動させて点着を開始させる。本例では、最初に検体設置部３７Ａの乾式分析素子２５に点着を行い、次いで検体設置部３７Ｂの乾式分析素子２５、最後に検体設置部３７Ｃの乾式分析素子２５に順次点着を行う。この際、点着対象の検体設置部３７が点着部１９に対面するよう、駆動制御部７８の制御の下、サンプルトレイ１３の回転ディスク３５が回転駆動する。
【００６８】
一方、指示受付部８０でオーダの入力指示を受け付けた第１表示区画１００に対応する検体設置部３７への検体容器１１およびカートリッジ１２の設置が検出されなかった場合は、表示制御部７９は、メイン画面９０に替えて、検体容器１１およびカートリッジ１２の設置を促す警告画面（図示せず）をタッチパネル１５に表示する。
【００６９】
点着が開始された場合、表示制御部７９は、図１１から図１２に示す表示状態にメイン画面９０を遷移させる。
【００７０】
図１２において、表示制御部７９は、メッセージ表示領域９２のメッセージ９４を、図１１の「点着準備中」から「点着中」に変更する。また、今まさに乾式分析素子２５に点着中の検体設置部３７に対応する第１表示区画１００と、点着の待機中の検体設置部３７に対応する第１表示区画１００とを、ハッチングで示すように異なる色（例えば点着中を赤茶色、待機中をクリーム色）で塗り潰す。この特定色の塗り潰しによって、当該検体設置部３７への検体容器１１およびカートリッジ１２の設置が検出されたこと（検体容器１１の設置有無）も示される。
【００７１】
図１２では、第１表示区画１００Ａ〜１００Ｃに対応する検体設置部３７Ａ〜３７Ｃへの検体容器１１およびカートリッジ１２の設置が検出され、かつ検体設置部３７Ａが点着中、検体設置部３７Ｂ、３７Ｃが待機中の場合を例示している。なお、点着中の表示がなされた第１表示区画１００は操作不可とされ、したがって当該第１表示区画１００に対応する検体設置部３７に設置された検体のオーダも変更および確認不可となる。
【００７２】
図１３は、図１２の表示状態から時間が経過した状態を示している。すなわち、第１表示区画１００Ａに対応する検体設置部３７Ａの乾式分析素子２５への点着が終了して、検体設置部３７Ａの乾式分析素子２５に対する測定を第１測定部２０または第２測定部２１で開始し、かつ第１表示区画１００Ｂに対応する検体設置部３７Ｂの乾式分析素子２５への点着を開始した場合のメイン画面９０を示している。
【００７３】
この場合、表示制御部７９は、第１表示区画１００Ａの検体ＩＤ「ＦＵＪＩ  ＴＡＲＯ」を消し、かつ第１表示区画１００Ａの表示色を赤茶色から白色に変更して、第１表示区画１００Ａをオーダの入力指示を受け付けていない図７の表示状態に戻す。一方で、表示制御部７９は、第１表示区画１００Ｂの表示色を図１２のクリーム色から赤茶色に変更し、第１表示区画１００Ｂに対応する検体設置部３７Ｂの乾式分析素子２５への点着が行われていることを示す。また、表示制御部７９は、生化学分析の結果を表示させるための呼出ボタン１２５を、呼出ボタン表示領域９５に表示する。
【００７４】
図１４に拡大して示すように、呼出ボタン１２５には、設置部識別情報ＩＮＩＤ、生化学分析の開始時間ＴＳ、および生化学分析の残り時間ＴＲが表示される。開始時間ＴＳは２４時間の時刻表記、残り時間ＴＲは分単位の表記である。図１４に示す呼出ボタン１２５は、設置部識別情報ＩＮＩＤが「Ａ」、開始時間ＴＳが「１４：４５」、残り時間ＴＲが「５」の場合を例示している。残り時間ＴＲが「５」であるため、この図１４に示す呼出ボタン１２５は、測定が途中の場合である。
【００７５】
図１５は、測定が終了した場合の呼出ボタン１２５を示す。この場合、表示制御部７９は、残り時間ＴＲに替えて、正常異常表示マーク１２６を表示する。正常異常表示マーク１２６は、分析の結果である数値が正常か異常かを表すマークである。表示制御部７９は、数値が異常な測定項目が１つもなかった（全測定項目の数値が正常であった）場合は正常異常表示マーク１２６を例えば緑色に塗り潰し、数値が異常な測定項目が１つでもあった場合は正常異常表示マーク１２６を例えば赤色に塗り潰す。
【００７６】
図１６に示すように、表示制御部７９は、測定が開始される度に、対応する呼出ボタン１２５を呼出ボタン表示領域９５に並べて表示する。また、時間経過とともに残り時間ＴＲを減らしたり、残り時間ＴＲから正常異常表示マーク１２６に切り替えたりして、各検体への生化学分析が順調に進行していることを示す。
【００７７】
呼出ボタン１２５は、図１４に示す残り時間ＴＲが表示された状態においても、図１５に示す正常異常表示マーク１２６が表示された状態においても操作可能である。呼出ボタン１２５が操作された場合、指示受付部８０は分析結果の表示指示を受け付ける。
【００７８】
指示受付部８０で分析結果の表示指示が受け付けられた場合、表示制御部７９は、図１７および図１８に示す結果表示画面１３０をメイン画面９０上に重畳表示する。結果表示画面１３０は、オーダ画面１１０と同じく、メイン画面９０を略覆い隠す大きさである。結果表示画面１３０は、設置部識別情報表示領域１３１と、オーダ表示領域１３２と、結果表示領域１３３とを有する。
【００７９】
設置部識別情報表示領域１３１には、設置部識別情報ＩＮＩＤ、年月日と開始時間ＴＳ、および結果表示画面１３０を閉じるための閉じるボタン１３４が表示される。また、数値が異常な測定項目が１つでもあった場合、設置部識別情報表示領域１３１には、エクスクラメーションマーク１３５が表示される。数値が異常な測定項目が１つもなかった場合は、エクスクラメーションマーク１３５は表示されない。
【００８０】
オーダ表示領域１３２には、オーダ画面１１０で入力されたオーダの各項目が表示される。結果表示領域１３３には、複数の測定項目に対応する複数のブロック１３６が配列される。
【００８１】
図１９に拡大して示すように、ブロック１３６には、測定項目名ＩＴＮ、数値ＮＶ、および範囲バー１４０が表示される。範囲バー１４０の左側には数値の下限値が、右側には上限値がそれぞれ記される。範囲バー１４０は、ハッチングで示す指標１４１の位置および表示色によって、数値ＮＶが正常か異常かを報せる。
【００８２】
具体的には、数値ＮＶが下限値および上限値の範囲内にある場合、すなわち数値ＮＶが正常の場合、表示制御部７９は、指標１４１を範囲バー１４０の中央に位置させ、かつ例えば緑色で塗り潰す（図１７および図１８における測定項目ＧＬＵ（Glucose；グルコース）、ＢＵＮ（Blood Urea Nitrogen；尿素窒素）等）。一方、数値ＮＶが下限値を下回った場合、すなわち数値ＮＶが異常の場合、表示制御部７９は、指標１４１を範囲バー１４０の左側に位置させ、かつ例えば赤色で塗り潰す（図１７および図１８における測定項目ＡＬＢ（Albumin；アルブミン））。また、数値ＮＶが上限値を上回った場合、すなわち数値ＮＶが異常の場合、表示制御部７９は、指標１４１を範囲バー１４０の右側に位置させ、かつ赤色で塗り潰す（図１７および図１８における測定項目ＣＲＥ（Creatinine；クレアチニン））。
【００８３】
上記の範囲バー１４０の表示に加えて、表示制御部７９は、数値が異常な測定項目（ここでは測定項目ＣＲＥ、ＡＬＢ）のブロック１３６を、ハッチングで示すように例えばピンク色で塗り潰し、数値が正常な測定項目の白色のブロック１３６と区別して表示する。
【００８４】
ここで、図１７は、図１４に示す呼出ボタン１２５が操作された場合、すなわち測定中に呼出ボタン１２５が操作された場合を示している。対して図１８は、図１５に示す呼出ボタン１２５が操作された場合、すなわち測定終了後に呼出ボタン１２５が操作された場合を示している。
【００８５】
図１７に示す結果表示画面１３０では、呼出ボタン１２５が操作された時点で測定が終了している測定項目（ここでは測定項目ＧＬＵ〜ＡＬＢ）のブロック１３６に、数値ＮＶが表示される。一方、測定が終了していない測定項目（測定項目ＴＧ（Triglyceride；中性脂肪）等）については、当然ながら数値ＮＶは表示されず、範囲バー１４０も表示されない。また、図１７に示す結果表示画面１３０では、結果表示領域１３３の右横に、図１４に示す呼出ボタン１２５と同じく、残り時間ＴＲが表示される。
【００８６】
一方、図１８に示す結果表示画面１３０では、全ての測定項目のブロック１３６に数値が表示される。また、図１８に示す結果表示画面１３０では、オーダ表示領域１３２においてオーダ番号と検体ＩＤの変更を受け付ける。具体的には、表示制御部７９は、オーダ表示領域１３２のオーダ番号と検体ＩＤを、オーダ画面１１０の入力表示ボックス１１４Ａ、１１４Ｂと同じ機能の入力表示ボックス１３７Ａ、１３７Ｂとする。そして、ユーザが入力表示ボックス１３７Ａ、１３７Ｂを操作した場合に、タッチパネル１５に画面キーボードを出現させ、この画面キーボードを介してオーダ番号と検体ＩＤの変更を受け付ける。
【００８７】
さらに、図１８に示す結果表示画面１３０では、結果表示領域１３３の右横の残り時間ＴＲが消される。替わりに結果の印刷出力を指示するプリントボタン１３８、および結果のメール送信を指示するメールボタン１３９が表示される。
【００８８】
なお、サマリー表示ボタン９６が操作された場合は、表示制御部７９は、当日の全結果を含む過去の結果を全て閲覧可能な結果表示画面（図示せず）をメイン画面９０上に重畳表示する。
【００８９】
以下、上記構成による作用について、図２０のフローチャートを参照して説明する。まず、ユーザは、蓋１４を開いて開口部１６を開放する。そして、開口部１６を介して、生化学分析の対象患者または対象患畜から採取した検体を収容した検体容器１１を検体容器設置孔３８に、未使用の乾式分析素子２５を収容したカートリッジ１２をカートリッジ設置孔３９に、それぞれ設置する（ステップＳＴ１００）。
【００９０】
検体容器１１およびカートリッジ１２の設置後、ユーザは蓋１４を閉じ、検体容器１１およびカートリッジ１２を設置した検体設置部３７に対応するメイン画面９０の第１表示区画１００を操作する。この操作を受けて、表示制御部７９により、図９で示したように、オーダ画面１１０がメイン画面９０上に重畳表示される（ステップＳＴ１１０）。
【００９１】
ユーザは、入力表示ボックス１１４Ａ〜１１４Ｅを操作して、検体ＩＤを含むオーダの各項目を入力した後（ステップＳＴ１２０）、ＯＫボタン１１６を操作する。これにより、オーダの入力指示が指示受付部８０で受け付けられる。すなわち、検体識別情報である検体ＩＤが取得される（ステップＳＴ１３０、取得ステップ）。取得された検体ＩＤは、表示制御部７９によって、図１０で示したように、第１表示区画１００に表示される（ステップＳＴ１４０、表示制御ステップ）。
【００９２】
ユーザは、スタートボタンとして機能するボタン表示領域９７Ａを操作する。これにより、分析の開始指示が指示受付部８０で受け付けられる（ステップＳＴ１５０）。
【００９３】
指示受付部８０で分析の開始指示が受け付けられた場合、主制御部７５の制御の下、設置センサ８１により検体設置部３７への検体容器１１およびカートリッジ１２の設置有無が検出される（ステップＳＴ１６０）。次いで、点着機構１８により乾式分析素子２５への点着が行われる（ステップＳＴ１７０）。さらに続けて、第１測定部２０または第２測定部２１で各測定項目の数値の測定が行われる（ステップＳＴ１８０）。
【００９４】
測定が開始された場合、表示制御部７９により呼出ボタン表示領域９５に呼出ボタン１２５が表示される（ステップＳＴ１９０）。呼出ボタン１２５が操作された場合（ステップＳＴ２００でＹＥＳ）、表示制御部７９により、図１７および図１８で示したように、結果表示画面１３０がメイン画面９０上に重畳表示される（ステップＳＴ２１０）。これらステップＳＴ１７０〜ステップＳＴ２１０までの一連の処理は、ステップＳＴ１３０で受け付けた全オーダの分析が終了するまで（ステップＳＴ２２０でＹＥＳ）、繰り返し続けられる。
【００９５】
以上説明したように、表示制御部７９は、検体設置部３７の配列状態を模式的に表し、検体設置部３７の各々に対応する第１表示区画１００が設けられた配置図９１をタッチパネル１５に表示し、ステップＳＴ１４０で示したように検体識別情報である検体ＩＤを第１表示区画１００に表示するので、ユーザは配置図９１を見ただけで、検体設置部３７にどういった検体が設置されているかがすぐに分かる。したがって、検体の誤認を効果的に防止することが可能となる。
【００９６】
表示制御部７９は、ステップＳＴ１１０で示したように、第１表示区画１００が操作された場合に、オーダ画面１１０をメイン画面９０上に重畳表示する。オーダ画面１１０は、操作された第１表示区画１００に対応する検体設置部３７に設置された検体のオーダの入力画面であり表示画面でもある。このため、実際に検体容器１１を設置する検体設置部３７の箇所と、第１表示区画１００で表される配置図９１上の検体設置部３７の箇所と、オーダ画面１１０で入力、表示するオーダとを視覚的に紐付けることができ、検体の誤認をより効果的に防止することが可能となる。また、オーダの入力、変更、確認がワンタッチの操作で行えるため便利である。
【００９７】
表示制御部７９は、検体設置部３７に付されたものと同じ設置部識別情報ＩＮＩＤを第１表示区画１００に表示するので、検体設置部３７と第１表示区画１００との対応関係が視覚的に明確になり、検体の誤認をより効果的に防止することが可能となる。
【００９８】
表示制御部７９は、メイン画面９０に呼出ボタン１２５を表示し、呼出ボタン１２５が操作された場合に、結果表示画面１３０をメイン画面９０上に重畳表示するので、ユーザは気になる生化学分析の結果を手軽に確認することができる。
【００９９】
表示制御部７９は、設置部識別情報ＩＮＩＤ、生化学分析の開始時間ＴＳ、および生化学分析の残り時間ＴＲを呼出ボタン１２５に表示するので、呼出ボタン１２５を見ただけで、どの検体設置部３７の検体の生化学分析の結果の呼出ボタン１２５かが分かり、そのうえ開始時間ＴＳおよび残り時間ＴＲも分かる。特に残り時間ＴＲが分かれば、ユーザはその後の作業の計画を立てやすいため便利である。
【０１００】
また、測定が終了した場合の呼出ボタン１２５に、数値が正常か異常かを表す正常異常表示マーク１２６を表示するので、ユーザは結果表示画面１３０で詳細を確認する前に、呼出ボタン１２５を見ただけで数値が正常であるか異常であるかが分かる。
【０１０１】
表示制御部７９は、結果表示画面１３０において、範囲バー１４０の指標１４１の位置および表示色を変更したり、ブロック１３６の表示色を変更する等して、数値が異常な測定項目を、数値が正常な測定項目と区別して表示するので、ユーザは数値が異常な測定項目が一目で分かる。
【０１０２】
表示制御部７９は、生化学分析の途中で呼出ボタン１２５が操作された場合、呼出ボタンが操作された時点で測定が終了している測定項目の数値を、結果表示画面１３０に表示するので、生化学分析の途中であっても結果を確認することができる。また、表示制御部７９は、生化学分析の途中で呼出ボタン１２５が操作された場合、生化学分析の残り時間ＴＲを結果表示画面１３０に表示するので、呼出ボタン１２５だけでなく結果表示画面１３０においても残り時間ＴＲを確認することができる。
【０１０３】
表示制御部７９は、測定の終了後、結果表示画面１３０において入力表示ボックス１３７Ｂで検体ＩＤの変更を受け付けるので、オーダ画面１１０において検体ＩＤの入力を誤った場合でも、検体ＩＤを修正することができる。
【０１０４】
表示制御部７９は、第１表示区画１００を特定の色で塗り潰して、検体容器１１の設置有無と生化学分析の進捗状況を示す表示を行うので、ユーザは配置図９１を見ただけで、検体容器１１の設置有無と生化学分析の進捗状況を把握することができる。
【０１０５】
表示部として例示したタッチパネル１５は、装置本体１０Ａに取り付けられている。この場合、画面サイズに制約があり、一度に表示可能な情報が限られる。したがって、検体ＩＤ等の各種情報を配置図９１に集約して表示する本発明の態様は、表示部が装置本体１０Ａに備え付けで画面サイズに制約がある場合に特に有効である。
【０１０６】
[第２実施形態]
上記第１実施形態では、メイン画面９０において配置図９１は開口部１６側（手前側）の第１領域５５が下、開口部１６とは反対側（奥側）の第２領域５６が上と、表示姿勢が常に同じであったが、図２１に示す第２実施形態では、表示制御部７９は、サンプルトレイ１３の回転ディスク３５の回転位置に応じて配置図９１の表示姿勢を変更する。
【０１０７】
図２１は、検体設置部３７Ｄが点着部１９に対面する位置に回転ディスク３５が回転駆動した場合を例示している。この場合、メイン画面９０の配置図９１も、回転ディスク３５の回転位置に応じて、検体設置部３７Ｄに対応する第１表示区画１００Ｄが９時の位置となるよう、表示制御部７９により表示姿勢が変更される。
【０１０８】
このように、サンプルトレイ１３の回転ディスク３５の回転位置に応じて配置図９１の表示姿勢を変更すれば、どの検体設置部３７がどういった位置にあって、かつどういった処理が施されているかが一目で分かる。したがって、検体の誤認をより効果的に防止することが可能となる。
【０１０９】
上記各実施形態では、円形のサンプルトレイ１３を例示したが、サンプルトレイの形状は円形でなくてもよく、例えば矩形状であってもよい。
【０１１０】
なお、第１表示区画１００を呼出ボタン１２５として機能させてもよい。この場合は呼出ボタン１２５を表示しなくてもよく、したがって呼出ボタン表示領域９５は不要となる。
【０１１１】
オーダは、上記第１実施形態で例示した手動入力に限らず、生化学分析を検査科に依頼する診療科の端末から、生化学分析装置１０にオンラインで自動的に入力されてもよい。この場合、取得部は、検体ＩＤを含むオーダをオンラインで受信する受信部となる。
【０１１２】
検体ＩＤ自体についても同様に、ＩＣ（Integrated Circuit）カード化した病院の診察券からカードリーダを介して読み込んでもよい。この場合はカードリーダが取得部となる。
【０１１３】
なお、検体ＩＤとしては、生化学分析装置１０が設置された病院で患者または患畜に付された、記号や数字からなる患者ＩＤまたは患畜ＩＤでもよい。
【０１１４】
オーダ番号は、検体ＩＤと一対一で対応し、かつオーダ画面１１０において検体ＩＤとともに表示されるので、検体識別情報と言ってもよい。このため、検体ＩＤの替わりにオーダ番号を第１表示区画１００に表示してもよい。
【０１１５】
上記各実施形態において、表示制御部７９、および取得部としての指示受付部８０といった各種の処理を実行する処理部（processing unit)のハードウェア的な構造は、次に示すような各種のプロセッサ（processor）である。各種のプロセッサには、ソフトウエア（プログラム）を実行して各種の処理部として機能する汎用的なプロセッサであるＣＰＵ（Central Processing Unit)、あるいはＦＰＧＡ(Field Programmable Gate Array)等の製造後に回路構成を変更可能なプロセッサであるプログラマブルロジックデバイス（Programmable Logic Device:ＰＬＤ）、さらにはＡＳＩＣ（Application Specific Integrated Circuit）等の特定の処理を実行させるために専用に設計された回路構成を有するプロセッサである専用電気回路等が含まれる。
【０１１６】
１つの処理部は、これら各種のプロセッサのうちの１つで構成されてもよいし、同種または異種の２つ以上のプロセッサの組み合せ（例えば、複数のＦＰＧＡや、ＣＰＵとＦＰＧＡの組み合わせ）で構成されてもよい。また、複数の処理部を１つのプロセッサで構成してもよい。複数の処理部を１つのプロセッサで構成する例としては、第１に、１つ以上のＣＰＵとソフトウエアの組み合わせで１つのプロセッサを構成し、このプロセッサが複数の処理部として機能する形態がある。第２に、システムオンチップ（System On Chip:ＳｏＣ）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１１７】
さらに、これらの各種のプロセッサのハードウェア的な構造は、より具体的には、半導体素子などの回路素子を組み合わせた電気回路（circuitry）である。
【０１１８】
以上の説明から、以下の付記項に示す発明を把握することができる。
【０１１９】
［付記項１］
生化学分析に供する検体が収容された検体容器が設置される複数の検体設置部が設けられたサンプルトレイを備える生化学分析装置において、
前記検体を識別する検体識別情報を取得する取得プロセッサと、
前記サンプルトレイにおける複数の前記検体設置部の配列状態を模式的に表し、複数の前記検体設置部の各々に対応する表示区画が設けられた配置図を表示部に表示する制御を行う表示制御プロセッサであり、前記取得プロセッサで取得した前記検体識別情報を前記表示区画に表示する表示制御プロセッサとを備える生化学分析装置。
【０１２０】
本発明は、上述の種々の実施形態や種々の変形例を適宜組み合わせることも可能である。また、上記各実施形態に限らず、本発明の要旨を逸脱しない限り種々の構成を採用し得ることはもちろんである。
【符号の説明】
【０１２１】
１０  生化学分析装置
１０Ａ  装置本体
１１  検体容器
１２  カートリッジ
１３  サンプルトレイ
１４  蓋
１４Ａ  開口部
１４Ｂ  カバー部
１５  タッチパネル
１６  開口部
１７  廃却ボックス
１８  点着機構
１９  点着部
２０、２１  第１、第２測定部
２２  ディスペンサー
２５  乾式分析素子
２５Ａ  点着孔
２６  ノズルチップ
３０  表
３５  回転ディスク
３６  非回転部
３７、３７Ａ〜３７Ｅ  検体設置部
３８  検体容器設置孔
３９  カートリッジ設置孔
４５  ノズルチップ設置部
４６  希釈液設置部
４７  混合カップ設置部
４８  チップラック
４９  希釈液容器
５０  混合カップ
５５  第１領域
５６  第２領域
５７  参照液容器
５８  参照液設置部
６０  点着用開口
６１  素子押え
６５  回転部材
６６  傾斜回転筒
６６Ａ  内孔
６７  ベアリング
６８  素子収納室
６８Ａ  測光窓
６９  測光ヘッド
７５  主制御部
７６、７７  第１、第２測定制御部
７８  駆動制御部
７９  表示制御部
８０  指示受付部（取得部）
８１  設置センサ
９０  メイン画面
９１  配置図
９２  メッセージ表示領域
９３  結果表示切替領域
９４  メッセージ
９５  呼出ボタン表示領域
９６  サマリー表示ボタン
９７Ａ、９７Ｂ、１１３  ボタン表示領域
１００、１００Ａ〜１００Ｅ  第１表示区画
１０１〜１０４  第２表示区画
１１０  オーダ画面（オーダの入力画面、オーダの表示画面）
１１１、１３１  設置部識別情報表示領域
１１２  オーダ入力表示領域
１１４Ａ〜１１４Ｅ、１３７Ａ、１３７Ｂ  入力表示ボックス
１１５  キャンセルボタン
１１６  ＯＫボタン
１２０  「ＳＴＡＲＴ」の標識
１２１  「ＳＴＯＰ」の標識
１２５  呼出ボタン
１２６  正常異常表示マーク
１３０  結果表示画面
１３２  オーダ表示領域
１３３  結果表示領域
１３４  閉じるボタン
１３５  エクスクラメーションマーク
１３６  ブロック
１３８  プリントボタン
１３９  メールボタン
１４０  範囲バー
１４１  指標
ＩＮＩＤ  設置部識別情報
Ｒ  供給経路
ＳＩＤ  検体ＩＤ（検体識別情報）
ＴＳ  開始時間
ＴＲ  残り時間
ＩＴＮ  測定項目名
ＮＶ  数値
ＳＴ１００〜ＳＴ２２０  ステップ
【図１】
2019178867.tif 000003
【図２】
2019178867.tif 000004
【図３】
2019178867.tif 000005
【図４】
2019178867.tif 000006
【図５】
2019178867.tif 000007
【図６】
2019178867.tif 000008
【図７】
2019178867.tif 000009
【図８】
2019178867.tif 000010
【図９】
2019178867.tif 000011
【図１０】
2019178867.tif 000012
【図１１】
2019178867.tif 000013
【図１２】
2019178867.tif 000014
【図１３】
2019178867.tif 000015
【図１４】
2019178867.tif 000016
【図１５】
2019178867.tif 000017
【図１６】
2019178867.tif 000018
【図１７】
2019178867.tif 000019
【図１８】
2019178867.tif 000020
【図１９】
2019178867.tif 000021
【図２０】
2019178867.tif 000022
【図２１】
2019178867.tif 000023